(57)【要約】      （修正有）【課題】発熱体と放熱体とを接続するヒートパイプが湾曲可能であって、設置が容易な放熱モジュールを提供する。【解決手段】半導体素子などの発熱部材２１と放熱部材２２とを接続するヒートパイプ２３と２４の間をフレキシブルな材質、あるいはフレキシブルな構造からなる湾曲可能部材２５で接続する。ヒートパイプ２３は発熱部材２１に接する第一吸熱部２３１から第一放熱部２３２に熱を伝導し、湾曲可能部材２５に熱を伝導して、ヒートパイプ２４の第二吸熱部２４１から第二放熱部２４２に熱を伝導し、放熱部材２２によって外界に熱を放散する。【選択図】図１
0003164742.tif 000002
【実用新案登録請求の範囲】
【請求項１】
半導体素子などの発熱部材と放熱部材とを接続するヒートパイプを、
該発熱体に接する第一吸熱部とその他端の第一放熱部を備える少なくとも１個の第一ヒートパイプ、および第二吸熱部とその他端の放熱部材に接続する第二放熱部を備える少なくとも１個の第二ヒートパイプから構成し、
これらのヒートパイプを上記第一ヒートパイプの第一放熱部に接続する第一接合部、第二ヒートパイプの第二吸熱部に接続する第二接合部、及び該第一接合部と該第二接合部間に形成する湾曲可能区とを備えた湾曲可能部材により接続した、ことを特徴とするフレキシブルな接続構造を具えた放熱モジュール。
【請求項２】
前記第一ヒートパイプの第一吸熱部は、発熱部材に接続していることを特徴とする請求項１に記載のフレキシブルな接続構造を具えた放熱モジュール。
【請求項３】
前記第二ヒートパイプの第二放熱部は、放熱部材に接続していることを特徴とする請求項１に記載のフレキシブルな接続構造を具えた放熱モジュール。
【請求項４】
前記湾曲可能部材の表面は、平面、波状、或いは蛇腹状の内の何れかであることを特徴とする請求項１に記載のフレキシブルな接続構造を具えた放熱モジュール。
【考案の詳細な説明】
【技術分野】
【０００１】
本考案はフレキシブルな接続構造を具えた放熱モジュールに関し、特にヒートパイプと湾曲可能な部材の組合せにより構成するフレキシブルな接続構造を具えた放熱モジュールに関する。
【背景技術】
【０００２】
デスクトップ、ノート型、AIO（ALL IN ONE）などのコンピューター、表示装置などのPC関連製品では、作動効率向上に対する要求に応えるため、その消費電力もますます大きくなっており、それに対する放熱要求もますます厳しくなっている。
現在の放熱方式は、放熱器にファンを配置したものが主流であるが、その効果は十分ではない。
そのため業者は、熱を迅速に除去する効果を備えるヒートパイプを採用し、これを放熱器と結合させて使用し、放熱問題の解決を図っている。
【０００３】
しかし、ヒートパイプを応用した放熱モジュールにおいて、そのヒートパイプは、本来の構造上の特性のため、一定程度にしか湾曲させることができない。
湾曲が過大に過ぎ、或いは波打って湾曲し、さらには折れ曲がるなどの状態になると、ヒートパイプ内の毛細管構造を破損して熱効率を低下させてしまい、ひどい場合には機能を失うという状況にも陥る。
このような条件において、電子装置内の放熱設計を行えば、電子装置の全体構造を縮小することは難しい。
【０００４】
しかし、現在の電子製品の開発傾向は薄く軽量、コンパクト化することであり、狭く、複雑な内部構造でありながら、機能はより強大であるため、発生する熱も当然増えている。
すなわち、放熱構造を適切に構築するという点での難度はますます拡大しているといえる。
そのため、設備の作動をより安定させ、より計画的に設置でき、より高い放熱性能を発揮できる放熱構造が求められている。
本考案は、従来の放熱モジュールの上記した欠点に鑑みてなされたものである。
【先行技術文献】
【特許文献】
【０００５】
【特許文献１】特開平１０−３０８９２号公報
【考案の概要】
【考案が解決しようとする課題】
【０００６】
本考案が解決しようとする第一の課題は、湾曲可能部材の特性を利用し、狭小で複雑な機械空間を備える製品に、より高い設置の適応性及び弾力性を提供し、良好な放熱性能を備え、放熱構造の適切な設置を実現することができるフレキシブルな接続構造を具えた放熱モジュールを提供することである。
本考案が解決しようとする第二の課題は、ヒートパイプを組み合わせて使用することで、熱伝導部材の熱を迅速、かつ効果的に放熱部材に伝導し、安定した放熱効果を提供することができるフレキシブルな接続構造を具えた放熱モジュールを提供することである。
【課題を解決するための手段】
【０００７】
上記課題を解決するため、本考案は下記のフレキシブルな接続構造を具えた放熱モジュールを提供する。
フレキシブルな接続構造を具えた放熱モジュールは、第一吸熱部及び第一放熱部を備える少なくとも１個の第一ヒートパイプ、第二吸熱部及び第二放熱部を備える少なくとも１個の第二ヒートパイプ、及び少なくとも１個の湾曲可能部材からなり、
高い熱伝導性を備える該湾曲可能部材は、第一接合部、第二接合部、及び該第一接合部と該第二接合部間に形成する湾曲可能区を備え、
該第一接合部、該第二接合部は、該第一ヒートパイプの第一放熱部及び該第二ヒートパイプの第二吸熱部と、それぞれ相互に組み合わせて接続する。
【考案の効果】
【０００８】
本考案のフレキシブルな接続構造を具えた放熱モジュールは、湾曲可能部材の設計により、放熱モジュールは良好な設置の適応性、弾力的な設計性、及び放熱性能を備えることができ、各種の狭小で複雑な機構空間に適応させることができる。
【図面の簡単な説明】
【０００９】
【図１】本考案第一実施例の模式図である。
【図２】本考案第二実施例の模式図である。
【考案を実施するための形態】
【００１０】
以下に図面を参照しながら本考案を実施するための最良の形態について詳細に説明する。
【実施例】
【００１１】
図１、２に示すように、本考案フレキシブルな接続構造を具えた放熱モジュール100は、第一吸熱部231及び第一放熱部232を備える少なくとも１個の第一ヒートパイプ23、第二吸熱部241及び第二放熱部242を備える少なくとも１個の第二ヒートパイプ24、及び少なくとも１個の湾曲可能部材25からなる。
【００１２】
該湾曲可能部材25は、高熱を伝導し、かつ弾性を備えた複合材質により製造し、第一接合部、第二接合部、及び該第一接合部及び該第二接合部間を構成する湾曲可能区を備える。
【００１３】
該第一接合部は、該第一ヒートパイプ23の第一放熱部232と相互に組み合わせて接続し、該第二接合部は、該第二ヒートパイプ24の第二吸熱部241と相互に組み合わせて接続する。
【００１４】
該湾曲可能区表面は、平面、或いは波状、或いは蛇腹状の構造をそなえ、自在に曲げることができる。
【００１５】
該第一ヒートパイプ23の第一吸熱部231は、発熱部材21に接し、該発熱部材21で発生する熱を、該第一ヒートパイプ23の第一吸熱部231により吸熱し、該第一放熱部232により伝達する。
【００１６】
こうして、熱を該湾曲可能部材25に伝導し、さらに該第二ヒートパイプ24の第二吸熱部241及び第二放熱部242に伝導し、最後に該第二放熱部242に連接する放熱部材22により、外へと放熱される。
【００１７】
上記のように、本考案の湾曲可能部材25を設置することで、放熱モジュールは、より大きな屈折、湾曲、折り曲げ等の性能を持つこととなり、電子製品の狭い機構空間に合わせて、最適で臨機応変な設置を設計することができる。
【００１８】
同時に、ヒートパイプ23、24及び湾曲可能部材25の数量、長さ、形状などは限定されないため、使用状況に応じて適度に調整することができる。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２１】
100  フレキシブルな接続構造を具えた放熱モジュール
21  発熱部材
22  放熱部材
23  第一ヒートパイプ
231  第一吸熱部
232  第一放熱部
24  第二ヒートパイプ
241  第二吸熱部
242  第二放熱部
25  湾曲可能部材
【図１】
0003164742.tif 000003
【図２】
0003164742.tif 000004